(57)【要約】【課題】ＢＳ放送、ＣＡＴＶ、２衛星のＣＳ放送と共に、ＣＳ１１０度衛星放送を受信することができる衛星放送共同受信システムを提供する。【解決手段】ＢＳ・ＣＳ１１０度アンテナ３１で受信したＢＳ放送及びＣＳ１１０度衛星放送の信号を偏分波器３２にて右旋偏波と左旋偏波に分波し、コンバータ３３、３４により中間周波信号に変換した後、混合器３５によりＣＡＴＶ３６の信号と混合し、ＢＳ・ＣＳ１１０°・ＣＡＴＶチューナへ出力する。第１のＣＳアンテナ４１で受信したＣＳ放送の信号を偏分波器４２で分波し、ＣＳコンバータ４３、４４にて中間周波信号に変換する。第２のＣＳアンテナ４５で受信した他のＣＳ放送の信号を偏分波器４６で分波し、ＣＳコンバータ４７、４８にて中間周波信号に変換する。ＣＳコンバータ４３、４４、４７、４８の出力信号とＣＡＴＶ３６の信号を混合器５０で混合してＣＳ・ＣＡＴＶチューナへ出力する。【選択図】    図１
2004200875.tif 000002
【特許請求の範囲】
【請求項１】
ＢＳ・ＣＳ１１０度アンテナにより受信したＢＳ放送及びＣＳ１１０度衛星放送の信号を右旋偏波と左旋偏波に分波する第１の偏分波器と、前記第１の偏分波器により分波された右旋偏波の信号を中間周波信号に変換する右旋コンバータと、前記第１の偏分波器により分波された左旋偏波の信号を中間周波信号に変換する左旋コンバータと、前記右旋コンバータ及び左旋コンバータにより変換された中間周波信号及びＣＡＴＶの信号を混合する第１の混合器と、前記第１の混合器により混合された信号をＢＳ・ＣＳ１１０度・ＣＡＴＶチューナへ分配する第１の分配手段と、
第１のＣＳアンテナにより受信した第１のＣＳ放送の信号を垂直偏波と水平偏波に分波する第２の偏分波器と、前記第２の偏分波器により分波された垂直偏波の信号を中間周波信号に変換する第１のＣＳコンバータと、前記第２の偏分波器により分波された水平偏波の信号を中間周波信号に変換する第２のＣＳコンバータと、
第２のＣＳアンテナにより受信した第２のＣＳ放送の信号を垂直偏波と水平偏波に分波する第３の偏分波器と、前記第３の偏分波器により分波された垂直偏波の信号を中間周波信号に変換する第３のＣＳコンバータと、前記第３の偏分波器により分波された水平偏波の信号を中間周波信号に変換する第４のＣＳコンバータと、
前記第１ないし第４のＣＳコンバータにより変換された中間周波信号及び前記ＣＡＴＶの信号を混合する第２の混合器と、前記第２の混合器により混合された信号をＣＳ・ＣＡＴＶチューナへ分配する第２の分配手段と、
を具備したことを特徴とする衛星放送共同受信システム。
【請求項２】
ＢＳ・ＣＳ１１０度アンテナにより受信したＢＳ放送及びＣＳ１１０度衛星放送の信号を右旋偏波と左旋偏波に分波する第１の偏分波器と、前記第１の偏分波器により分波された右旋偏波の信号を中間周波信号に変換する右旋コンバータと、前記第１の偏分波器により分波された左旋偏波の信号を中間周波信号に変換する左旋コンバータと、前記右旋コンバータ及び左旋コンバータにより変換された中間周波信号及びＣＡＴＶ信号を混合する混合器と、前記混合器から出力される信号をＢＳ・ＣＳ１１０度・ＣＡＴＶチューナへ分配する第１の分配手段と、
第１のＣＳアンテナにより受信した第１のＣＳ放送の信号を垂直偏波と水平偏波に分波する第２の偏分波器と、前記第２の偏分波器により分波された垂直偏波の信号を中間周波信号に変換する第１のＣＳコンバータと、前記第２の偏分波器により分波された水平偏波の信号を中間周波信号に変換する第２のＣＳコンバータと、
第２のＣＳアンテナにより受信した第２のＣＳ放送の信号を垂直偏波と水平偏波に分波する第３の偏分波器と、前記第３の偏分波器により分波された垂直偏波の信号を中間周波信号に変換する第３のＣＳコンバータと、前記第３の偏分波器により分波された水平偏波の信号を中間周波信号に変換する第４のＣＳコンバータと、
前記第１及び第２のＣＳコンバータにより変換された中間周波信号をそれぞれ周波数の異なる中間周波信号にアップコンバートすると共に、該アップコンバートされた中間周波信号と前記第３及び第４のＣＳコンバータにより変換された中間周波信号及びＣＡＴＶ信号を混合する変換混合ユニットと、
前記変換混合ユニットにより混合された信号を分配する第２の分配手段と、前記第２の分配手段により分配された信号の中からアップコンバートされていない信号及びＣＡＴＶ信号を選択する第１のフィルタと、前記第２の分配手段により分配された信号の中からアップコンバートされた信号を選択する第２のフィルタと、前記第２のフィルタの出力信号を所定の中間周波信号に変換するダウンコンバート手段と、前記第１のフィルタの出力信号と前記ダウンコンバート手段の出力信号とを切換えてＣＳ・ＣＡＴＶチューナへ出力する切換器と、前記ＣＳ・ＣＡＴＶチューナから送られてくる衛星切換信号を検出して前記切換器を切換え制御する手段と、
を具備したことを特徴とする衛星放送共同受信システム。
【発明の詳細な説明】
【０００１】
【発明の属する技術分野】
本発明は、例えば共同住宅などにおいて、衛星放送を共同受信する衛星放送共同受信システムに関する。
【０００２】
【従来の技術】
従来、マンション等の共同住宅において、ＶＨＦ、ＵＨＦの地上テレビ放送、及びＢＳ、ＣＳの衛星放送をアンテナで受信し、中間周波信号に変換した後、混合して１本の同軸ケーブルによりテレビ受信機側に伝送することが行なわれている（例えば、特許文献１参照。）。
【０００３】
また、最近では、ＢＳ放送やＣＡＴＶなどとＣＳ放送、例えば２衛星で放送しているｓｋｙｐｅｒｆｅｃＴＶを共同受信することも行なわれているが、１同軸ケーブル方式の他に２同軸ケーブル方式が用いられている。ｓｋｙサービス及びｐｅｒｆｅｃサービスは、ともに垂直偏波及び水平偏波により衛星放送を行なっている。
【０００４】
図８は、ＣＡＴＶ、ＢＳ放送、ＣＳ放送を１同軸ケーブル方式により受信する従来の衛星放送共同受信システムの構成例を示したものである。
図８に示すように、衛星受信用アンテナとして、ＢＳアンテナ１及びＣＳアンテナ３が設けられる。上記ＢＳアンテナ１の受信信号は、ＢＳコンバータ２に入力される。ＢＳコンバータ２は、ＢＳアンテナ１により受信されたＢＳ放送（右旋偏波）を１０．６７８ＧＨｚの局部発振周波数により中間周波信号に変換し、ブロックコンバータ７に出力する。また、ブロックコンバータ７には、ＣＡＴＶ８の信号が入力される。
【０００５】
一方、上記ＣＳアンテナ３は、２衛星によるＣＳ放送、例えばｓｋｙサービスあるいはｐｅｒｆｅｃサービスの放送を受信するように設定され、その受信信号は偏分波器４に送られる。偏分波器４は、ＣＳアンテナ３により受信したｓｋｙサービスあるいはｐｅｒｆｅｃサービスの信号を垂直偏波と水平偏波の信号に分離し、垂直偏波の信号をＣＳコンバータ５に出力し、水平偏波の信号をＣＳコンバータ６に出力する。上記ＣＳコンバータ５、６は、偏分波器４で分波された信号をそれぞれ１１．２ＧＨｚの局部発振周波数で中間周波信号に変換し、ブロックコンバータ７に出力する。
【０００６】
上記ブロックコンバータ７は、ＢＳコンバータ２から出力される中間周波信号及びＣＡＴＶ８の信号については周波数変換せずにそのまま出力し、ＣＳコンバータ５、６から出力される信号については、ダウンコンバート及びアップコンバート処理を行ない、所定の中間周波信号に変換して出力する。
【０００７】
上記ブロックコンバータ７から出力される信号は、アンプ９で増幅された後、同軸ケーブル１０を介して分配器１１に入力され、例えば共同住宅の各階等に分配される。上記分配器１１で分配された信号は、共同住宅の各部屋等に設けられる壁面端子１２より分岐器１３へ送られる。この分岐器１３は、壁面端子１２を介して送られてくる信号を２分岐し、一方の信号をＢＳ・ＣＡＴＶチューナ（図示せず）へ出力し、他方の信号をＣＳチューナ（図示せず）へ出力する。
【０００８】
ｐｅｒｆｅｃサービスは、垂直偏波と水平偏波を使用して衛星放送を行なっているが、垂直偏波は図９（ａ）に示すように１２．２５〜１２．５０ＧＨｚのＰｅｒ・垂直（１）と、１２．５０〜１２．７５ＧＨｚのＰｅｒ・垂直（２）の周波数帯が設定されている。また、水平偏波も同様に、１２．２５〜１２．５０ＧＨｚのＰｅｒ・水平（１）と、１２．５０〜１２．７５ＧＨｚのＰｅｒ・水平（２）の周波数帯が設定されている。
【０００９】
また、ｓｋｙサービスは、ｐｅｒｆｅｃサービスと同様に垂直偏波と水平偏波を使用して衛星放送を行なっているが、図９（ｂ）に示すように１２．５０〜１２．７５ＧＨｚの周波数帯でＳｋｙ・垂直、及びＳｋｙ・水平が設定されている。
【００１０】
ＣＳアンテナ３がｐｅｒｆｅｃサービスの放送を受信するように設定されている場合、ブロックコンバータ７は、図１０（ａ）に示すようにＢＳコンバータ２から出力されるＢＳ放送及びＣＡＴＶ８の信号（１０〜１３３５ＭＨｚ）は周波数変換せずにそのまま出力し、ＣＳコンバータ５から出力されるＰｅｒ・垂直（２）は１３８５〜１６２５ＭＨｚの中間周波信号に変換し、ＣＳコンバータ６から出力されるＰｅｒ・水平（２）は１６５５〜１８９５ＭＨｚの中間周波信号に変換して出力する。また、ブロックコンバータ７は、ＣＳコンバータ５から出力されるＰｅｒ・垂直（１）あるいはＣＳコンバータ６から出力されるＰｅｒ・水平（１）の信号を１９１０〜２１５０ＭＨｚの中間周波信号に変換して出力する。
【００１１】
また、ＣＳアンテナ３がｓｋｙサービスの放送を受信するように設定されている場合、ブロックコンバータ７は、図１０（ｂ）に示すようにＣＳコンバータ５から出力されるＳｋｙ・垂直を１３８５〜１６２５ＭＨｚの中間周波信号に変換し、ＣＳコンバータ６から出力されるＳｋｙ・水平を１６５５〜１８９５ＭＨｚの中間周波信号に変換して出力する。なお、ブロックコンバータ７は、ＢＳコンバータ２から出力されるＢＳ放送及びＣＡＴＶ８の信号（１０〜１３３５ＭＨｚ）については、ｐｅｒｆｅｃサービスの場合と同様に周波数変換せずにそのまま出力する。
【００１２】
上記ブロックコンバータ７から出力される信号は、アンプ９で増幅された後、分配器１１及び壁面端子１２を介して分岐器１３へ送られ、ＢＳ放送及びＣＡＴＶの信号と、ＣＳ放送の信号とに分岐され、ＢＳ・ＣＡＴＶチューナと、ＣＳチューナへそれぞれ送られる。
【００１３】
上記のように１同軸方式では、図１０（ａ）に示すようにＣＡＴＶ、ＢＳ放送の上側周波数帯にｐｅｒｆｅｃサービスを選択した場合には、水平、垂直の２５０ＭＨｚずつの帯域分と、どちらかの偏波の２５０ＭＨｚ帯域分で、合計７５０ＭＨｚ帯域分のチャンネルを伝送できる。
【００１４】
また、図１０（ｂ）に示すようにＣＡＴＶ、ＢＳ放送の上側周波数帯にｓｋｙサービスを選択した場合には、水平、垂直の全チャンネル（５００ＭＨｚ帯域分）を伝送できる。
【００１５】
図１１は、従来の２同軸ケーブル方式による衛星放送共同受信システムの構成例を示したものである。なお、図９に示した１同軸ケーブル方式による衛星放送共同受信システムと同一部分には同一符号を付して詳細な説明は省略する。２同軸ケーブル方式の場合には、ＢＳアンテナ１、ＣＳアンテナ３の他に更にＣＳアンテナ２１を設け、このＣＳアンテナ２１に偏分波器２２を介してＣＳコンバータ２３、２４を接続している。
【００１６】
上記ＣＳアンテナ３、偏分波器４及びＣＳコンバータ５、６の受信系統をｓｋｙサービス受信用とし、ＣＳアンテナ２１、偏分波器２２、及びＣＳコンバータ２３、２４の受信系統をｐｅｒｆｅｃサービス受信用として使用する。
【００１７】
ＣＳアンテナ３で受信されたｓｋｙサービスの放送は、偏分波器４により垂直偏波と水平偏波の信号に分離され、垂直偏波の信号がＣＳコンバータ５に入力され、水平偏波の信号がＣＳコンバータ６に入力される。上記ＣＳコンバータ５、６は、偏分波器４で分波された信号をそれぞれ１１．２ＧＨｚの局部発振周波数で中間周波信号に変換し、ブロックコンバータ７に入力する。
【００１８】
上記ブロックコンバータ７は、ＢＳコンバータ２からのＢＳ放送及びＣＡＴＶ８の信号は、そのまま周波数変換せずに出力し、ＣＳコンバータ５、６から出力されるｓｋｙサービスの信号を所定の中間周波信号に変換して出力する。ブロックコンバータ７の出力信号は、アンプ９で増幅された後、同軸ケーブル１０ａを介して分配器１１へ送られる。
【００１９】
一方、上記ＣＳアンテナ２１により受信されたｐｅｒｆｅｃサービスの放送は、偏分波器２２により垂直偏波と水平偏波の信号に分離され、垂直偏波の信号はＣＳコンバータ２３に入力され、水平偏波の信号はＣＳコンバータ２４に入力される。上記ＣＳコンバータ２３は、垂直偏波の信号を１１．２ＧＨｚの局部発振周波数で中間周波信号に変換し、また、ＣＳコンバータ２４は、水平偏波の信号を１０．６７８ＧＨｚの局部発振周波数で中間周波信号に変換して混合器２５に出力する。
【００２０】
混合器２５は、ＣＳコンバータ２３、３４の出力信号を混合してアンプ２６へ出力する。アンプ２６で増幅された信号は、同軸ケーブル１０ｂを介して分配器２７に入力され、分配器１１と同様に共同住宅の各階等に分配されて壁面端子１２に入力される。
【００２１】
上記壁面端子１２は、分配器１１により分配された信号を分岐器１３へ出力すると共に、分配器２７により分配された信号を衛星切換器２８へ出力する。
【００２２】
上記分岐器１３は、壁面端子１２を介して送られてくる信号を２分岐し、その一方の信号をＢＳ・ＣＡＴＶチューナへ出力し、他方の信号を衛星切換器２８へ出力する。衛星切換器２８は、壁面端子１２を介して送られてくるｐｅｒｆｅｃサービスの信号と分岐器１３により分岐されたｓｋｙサービスの信号とを任意に選択することができるが、通常はｐｅｒｆｅｃサービスの信号を選択してＣＳチューナへ出力している。
【００２３】
上記の構成において、ブロックコンバータ７は、ＢＳコンバータ２からのＢＳ放送及びＣＡＴＶ８の信号（１０〜１３３５ＭＨｚ）は、図１２（ａ）に示すようにそのまま周波数変換せずに出力し、ＣＳコンバータ５から出力されるｓｋｙサービスの信号は、Ｓｋｙ・垂直を１３８５〜１６２５ＭＨｚの中間周波信号に変換し、ＣＳコンバータ６から出力されるＳｋｙ・水平を１６５５〜１８９５ＭＨｚの中間周波信号に変換して出力する。上記ブロックコンバータ７から出力される信号は、アンプ９で増幅された後、分配器１１、壁面端子１２及び分岐器１３を介してＢＳ・ＣＡＴＶチューナへ送られる。
【００２４】
一方、ＣＳコンバータ２３は、ｐｅｒｆｅｃサービスにおける垂直偏波の１２．２５〜１２．７５ＧＨｚの信号を１１．２ＧＨｚの局部発振周波数により、図１２（ｂ）に示すように１０５０〜１５５０ＭＨｚの中間周波信号に変換し、水平偏波の１２．２５〜１２．７５ＧＨｚの信号を１０．６７８ＧＨｚの局部発振周波数により、１５７２〜２０７２ＭＨｚの中間周波信号に変換して出力する。
【００２５】
上記ＣＳコンバータ２３、２４から出力される信号は、混合器２５で混合された後、アンプ２６で増幅され、分配器２７、壁面端子１２及び衛星切換器２８を介してＣＳチューナへ送られる。
【００２６】
上記のように２同軸ケーブル方式による衛星放送共同受信システムでは、図１２（ａ）、（ｂ）に示したように、ｓｋｙサービス、ｐｅｒｆｅｃサービスとも全チャンネルの放送が伝送可能となる。
【００２７】
【特許文献１】
特開２０００−３４９６７６号公報
【００２８】
【発明が解決しようとする課題】
従来では、上記したようにＢＳ放送やＣＡＴＶと共に２衛星のＣＳ放送を共同受信しているが、更に、最近ではＢＳ放送と同じ東経１１０度衛星よりＣＳ１１０度衛星放送が開始されている。しかし、上記従来の衛星放送共同受信システムでは、ＣＳ１１０度衛星放送を受信することができない。
【００２９】
本発明は上記の課題を解決するためになされたもので、ＢＳ放送、ＣＡＴＶ、２衛星のＣＳ放送と共に、ＣＳ１１０度衛星放送を受信することができる衛星放送共同受信システムを提供することを目的とする。
【００３０】
【課題を解決するための手段】
本発明は、ＢＳ・ＣＳ１１０度アンテナにより受信したＢＳ放送及びＣＳ１１０度衛星放送の信号を右旋偏波と左旋偏波に分波する第１の偏分波器と、前記第１の偏分波器により分波された右旋偏波の信号を中間周波信号に変換する右旋コンバータと、前記第１の偏分波器により分波された左旋偏波の信号を中間周波信号に変換する左旋コンバータと、前記右旋コンバータ及び左旋コンバータにより変換された中間周波信号及びＣＡＴＶの信号を混合する第１の混合器と、前記第１の混合器により混合された信号をＢＳ・ＣＳ１１０度・ＣＡＴＶチューナへ分配する第１の分配手段と、
第１のＣＳアンテナにより受信した第１のＣＳ放送の信号を垂直偏波と水平偏波に分波する第２の偏分波器と、前記第２の偏分波器により分波された垂直偏波の信号を中間周波信号に変換する第１のＣＳコンバータと、前記第２の偏分波器により分波された水平偏波の信号を中間周波信号に変換する第２のＣＳコンバータと、
第２のＣＳアンテナにより受信した第２のＣＳ放送の信号を垂直偏波と水平偏波に分波する第３の偏分波器と、前記第３の偏分波器により分波された垂直偏波の信号を中間周波信号に変換する第３のＣＳコンバータと、前記第３の偏分波器により分波された水平偏波の信号を中間周波信号に変換する第４のＣＳコンバータと、
前記第１ないし第４のＣＳコンバータにより変換された中間周波信号及び前記ＣＡＴＶの信号を混合する第２の混合器と、前記第２の混合器により混合された信号をＣＳ・ＣＡＴＶチューナへ分配する第２の分配手段と、
を具備したことを特徴とする。
【００３１】
上記の構成において、ＢＳ・ＣＳ１１０度アンテナにより受信されたＢＳ放送及びＣＳ１１０度衛星放送の右旋偏波の信号は、右旋コンバータにて中間周波信号に変換されると共に、ＣＳ１１０度衛星放送の左旋偏波の信号が左旋コンバータにて中間周波信号に変換される。上記右旋コンバータ及び左旋コンバータにより変換された中間周波信号及びＣＡＴＶの信号は、第１の混合器で混合され、第１の分配手段によりＢＳ・ＣＳ１１０°・ＣＡＴＶチューナへ分配される。
【００３２】
また、第１のＣＳアンテナにより受信された第１のＣＳ放送は、第２の偏分波器で垂直偏波と水平偏波の信号に分波され、第１及び第２のＣＳコンバータにより中間周波信号に変換される。更に、第２のＣＳアンテナにより受信された第２のＣＳ放送は、第３の偏分波器により垂直偏波と水平偏波の信号に分波され、第３及び第４のＣＳコンバータにて中間周波信号に変換される。
そして、上記第１ないし第４のＣＳコンバータにより変換された中間周波信号及びＣＡＴＶ信号は、第２の混合器で混合され、第２の分配手段によりＣＳ・ＣＡＴＶチューナへ分配される。
【００３３】
上記の構成によれば、ＢＳ・ＣＳ１１０°・ＣＡＴＶチューナにより、ＢＳ放送、ＣＡＴＶの放送、及びＣＳ１１０度衛星放送を受信することができ、また、ＣＳ・ＣＡＴＶチューナにより第１及び第２のＣＳ放送と共にＣＡＴＶの放送を受信することができる。
【００３４】
【発明の実施の形態】
以下、図面を参照して本発明の実施形態を説明する。
【００３５】
（第１実施形態）
図１は、本発明の第１実施形態に係る２同軸ケーブル方式による衛星放送共同受信システムの構成を示すブロック図である。
【００３６】
図１に示すように、衛星受信用アンテナとして、ＢＳ・ＣＳ１１０度衛星放送を受信するためのＢＳ・ＣＳ１１０度アンテナ３１、ｐｅｒｆｅｃサービスの放送を受信するための第１のＣＳアンテナ４１、及びｓｋｙサービスの放送を受信するための第２のＣＳアンテナ４５を設ける。上記ＣＳ１１０度衛星放送は、ｐｅｒｆｅｃサービスと同じ１２．２５〜１２．７５ＧＨｚの周波数帯を使用し、右旋偏波（円偏波）、左旋偏波（円偏波）により放送を行なう。
【００３７】
上記ＢＳ・ＣＳ１１０度アンテナ３１により受信されたＢＳ・ＣＳ１１０度衛星放送の信号は、偏分波器３２に入力される。偏分波器３２は、ＢＳ放送及びＣＳ１１０度衛星放送の右旋偏波と、ＣＳ１１０度衛星放送の左旋偏波の信号に分離し、右旋偏波の信号を右旋コンバータ３３に入力し、左旋偏波の信号を左旋コンバータ３４に入力する。上記右旋コンバータ３３は、偏分波器３２で分波されたＢＳ放送及びＣＳ１１０度衛星放送の右旋偏波信号を１０．６７８ＧＨｚの局部発振周波数で中間周波信号に変換し、混合器３５に入力する。また、左旋コンバータ３４は、偏分波器３２で分波されたＣＳ１１０度衛星放送の左旋偏波信号を１０．１２７ＧＨｚの局部発振周波数で中間周波信号に変換し、混合器３５に入力する。
【００３８】
また、混合器３５には、ＣＡＴＶ３６の信号（１０ＭＨｚ〜７７０ＭＨｚ）が入力される。混合器３５は、右旋コンバータ３３から出力されるＢＳ・ＣＳ右旋偏波の信号、左旋コンバータ３４から出力されるＣＳ左旋偏波の信号、及びＣＡＴＶ３６の信号を混合し、１同軸の信号としてアンプ３７に出力する。このアンプ３７により増幅された信号は、同軸ケーブル３８ａを介して分配器３９へ送られ、この分配器３９により例えば共同住宅の各階等に分配され、更に各部屋等に設けられる壁面端子４０から同軸ケーブルを介してＢＳ・ＣＳ１１０°・ＣＡＴＶチューナ（図示せず）へ送られる。
【００３９】
また、上記第１のＣＳアンテナ４１により受信されたｐｅｒｆｅｃサービスの信号は、偏分波器４２に入力される。偏分波器４２は、第１のＣＳアンテナ４１により受信されたｐｅｒｆｅｃサービスの信号を垂直偏波と水平偏波の信号に分離し、垂直偏波の信号をＣＳコンバータ４３に入力し、水平偏波の信号をＣＳコンバータ４４に入力する。ＣＳコンバータ４３は、偏分波器３２で分波された垂直偏波の信号を１１．２ＧＨｚの局部発振周波数で中間周波信号に変換し、Ｓｋｙ・ｐｅｒサービス混合器５０に入力する。ＣＳコンバータ４４は、偏分波器３２で分波された水平偏波の信号を１０．６７８ＧＨｚの局部発振周波数で中間周波信号に変換し、Ｓｋｙ・ｐｅｒサービス混合器５０に入力する。
【００４０】
また、上記第２のＣＳアンテナ４５により受信されたｓｋｙサービスの信号は、偏分波器４６に入力される。偏分波器４６は、第２のＣＳアンテナ４５により受信されたｓｋｙサービスの信号を垂直偏波と水平偏波の信号に分離し、垂直偏波の信号をＣＳコンバータ４７に入力し、水平偏波の信号をＣＳコンバータ４８に入力する。ＣＳコンバータ４７は、偏分波器４６で分波された垂直偏波の信号を１０．４０８ＧＨｚの局部発振周波数で中間周波信号に変換し、Ｓｋｙ・ｐｅｒサービス混合器５０に入力する。ＣＳコンバータ４８は、偏分波器４６で分波された水平偏波の信号を１０．１３８ＧＨｚの局部発振周波数で中間周波信号に変換し、Ｓｋｙ・ｐｅｒサービス混合器５０に入力する。
【００４１】
更に、Ｓｋｙ・ｐｅｒサービス混合器５０には、上記ＣＡＴＶ３６の信号（１０ＭＨｚ〜７７０ＭＨｚ）が入力される。
【００４２】
Ｓｋｙ・ｐｅｒサービス混合器５０は、上記ＣＳコンバータ４３、４４及びＣＳコンバータ４７、４８で変換された中間周波信号と、上記ＣＡＴＶ３６の信号を混合し、１同軸の信号としてアンプ５１に出力する。アンプ５１で増幅された信号は、同軸ケーブル３８ｂを介して分配器５２へ送られ、この分配器５２により共同住宅の各階等に分配され、上記壁面端子４０から同軸ケーブルを介してＣＳ・ＣＡＴＶチューナ（図示せず）へ送られる。
【００４３】
次に、上記実施形態に係る衛星放送共同受信システムの全体の動作を説明する。
【００４４】
ＢＳ・ＣＳ１１０度アンテナ３１は、ＢＳ放送（１１．７１〜１２．０１３ＧＨｚ）及びＣＳ１１０度衛星放送（１２．２５〜１２．７５ＧＨｚ）を受信し、右旋コンバータ３３及び左旋コンバータ３４に入力する。
【００４５】
右旋コンバータ３３は、ＢＳ・ＣＳ１１０度アンテナ３１により受信されたＢＳ放送、及びＣＳ１１０度衛星放送（右旋偏波１２．２５〜１２．７５ＧＨｚ）の信号を１０．６７８ＧＨｚの局部発振信号により、図２（ａ）に示すようにＢＳ（１０３２〜１３３５ＭＨｚ）、ＣＳ・右旋（１５７２〜２０７２ＭＨｚ）の中間周波信号に変換する。
【００４６】
また、左旋コンバータ３４は、ＢＳ・ＣＳ１１０度アンテナ３１により受信されたＣＳ１１０度衛星放送（左旋偏波１２．２５〜１２．７５ＧＨｚ）を１０．１２７ＧＨｚの局部発振信号により、ＣＳ・左旋（２１２３〜２６２３ＭＨｚ）の中間周波信号に変換する。
【００４７】
上記右旋コンバータ３３、左旋コンバータ３４により変換された中間周波信号及びＣＡＴＶ３６の信号（１０ＭＨｚ〜７７０ＭＨｚ）は、混合器３５で図２（ａ）に示すように混合されて１同軸の信号（１同軸目）として出力され、アンプ３７で増幅された後、分配器３９、壁面端子４０を介してＢＳ・ＣＳ１１０°ＣＡＴＶチューナへ送られる。
【００４８】
また、第１のＣＳアンテナ４１は、ｐｅｒｆｅｃサービスの放送（１２．２５〜１２．７５ＧＨｚ）を受信し、偏分波器４２に入力する。偏分波器４２は、上記ｐｅｒｆｅｃサービスの信号を垂直偏波と水平偏波の信号に分波し、ＣＳコンバータ４３、４４に出力する。
【００４９】
ＣＳコンバータ４３は、上記ｐｅｒｆｅｃサービスの垂直偏波の信号を１１．２ＧＨｚの局部発振信号で、図２（ｂ）に示すように１０５０〜１５５０ＭＨｚのＰｅｒ・垂直の信号に変換し、Ｓｋｙ・ｐｅｒサービス混合器５０へ出力する。ＣＳコンバータ４４は、上記ｐｅｒｆｅｃサービスの水平偏波の信号を１０．６７８ＭＨｚの局部発振信号で１５７２〜２０７２ＭＨｚのＰｅｒ・水平の信号に変換し、Ｓｋｙ・ｐｅｒサービス混合器５０へ出力する。
【００５０】
また、第２のＣＳアンテナ４５は、ｓｋｙサービスの放送（１２．５０〜１２．７５ＧＨｚ）を受信し、偏分波器４６に入力する。偏分波器４６は、上記ｓｋｙサービスの信号を垂直偏波と水平偏波の信号に分波し、ＣＳコンバータ４７、４８に出力する。
【００５１】
ＣＳコンバータ４７は、ｓｋｙサービスの垂直偏波の信号を１０．４０８Ｈｚの局部発振信号で、図２（ｂ）に示すように２０９２〜２３４２ＭＨｚのＳｋｙ・垂直の信号に変換し、Ｓｋｙ・ｐｅｒサービス混合器５０へ出力する。ＣＳコンバータ４８は、水平偏波の信号を１０．１３８ＭＨｚの局部発振信号で２３６２〜２６１２ＭＨｚのＳｋｙ・水平の信号に変換し、Ｓｋｙ・ｐｅｒサービス混合器５０へ出力する。
【００５２】
Ｓｋｙ・ｐｅｒサービス混合器５０は、上記ＣＳコンバータ４３、４４、及びＣＳコンバータ４７、４８により変換された信号とＣＡＴＶ３６の信号（１０ＭＨｚ〜７７０ＭＨｚ）を図２に（ｂ）に示すように混合し、１同軸の信号（２同軸目）としてアンプ５１へ出力する。このアンプ５１により増幅された信号は、分配器５２及び壁面端子４０を介してＣＳ・ＣＡＴＶチューナへ送られる。
【００５３】
上記第１実施形態によれば、ＢＳ・ＣＳ１１０°・ＣＡＴＶチューナにより、ＣＡＴＶの放送と、ＢＳ放送及びＣＳ１１０度衛星放送を受信することができ、また、ＣＳ・ＣＡＴＶチューナにより、ＣＡＴＶの放送と、ｐｅｒｆｅｃサービス及びｓｋｙサービスによる２衛星のＣＳ放送を受信することができる。
【００５４】
（第２実施形態）
次に本発明の第２実施形態に係る２同軸ケーブル方式による衛星放送共同受信システムについて説明する。
【００５５】
この第２実施形態は、図３に示すように上記第１実施形態におけるＳｋｙ・ｐｅｒサービス混合器５０に代えて変換混合ユニット６１を設けると共に、分配器５２から壁面端子４０を介して出力される信号に対して変換分配切換ユニット６２を設けたものである。上記変換混合ユニット６１及び変換分配切換ユニット６２については詳細を後述する。なお、ＣＳコンバータ４７、４８は、局部発振器の発振周波数を１１．２ＧＨｚに設定する。その他の構成は、図１に示した第１実施形態と同様の構成であるので、同一部分には同一符号を付して詳細な説明は省略する。
【００５６】
上記変換混合ユニット６１は、図４に示すようにＣＳコンバータ４７からの信号が入力されるＳｋｙ・垂直入力端子７１ａ、ＣＳコンバータ４８からの信号が入力されるＳｋｙ・水平入力端子７１ｂ、ＣＳコンバータ４３からの信号が入力されるＰｅｒ・垂直入力端子７２ａ、ＣＳコンバータ４４からの信号が入力されるＰｅｒ・水平入力端子７２ｂ、及び１つの出力端子７３を備えている。
【００５７】
上記Ｓｋｙ・垂直入力端子７１ａと出力端子７３との間には、ミキサ（ＭＩＸ）７４、「２３３２ＭＨｚ」以下の周波数を通過させるローパスフィルタ（ＬＰＦ）７６、「２０９２ＭＨｚ」以上の周波数を通過させるハイパスフィルタ（ＨＰＦ）７７、及び「１０００ＭＨｚ」以上の周波数を通過させるハイパスフィルタ（ＨＰＦ）８４が直列に設けられる。
【００５８】
上記ミキサ７４には、局部発振器（Ｌｏ・ＰＬＬ）７５から７９９ＭＨｚの局部発振信号が入力される。上記ミキサ７４は、ＣＳコンバータ４７からＳｋｙ・垂直入力端子７１ａに入力されたＳｋｙサービスの垂直偏波の信号を７９９ＭＨｚの局部発振周波数によりアップコンバートし、ローパスフィルタ７６、ハイパスフィルタ７７、８４を介して出力端子７３へ出力する。
【００５９】
また、上記Ｓｋｙ・水平入力端子７１ｂとハイパスフィルタ７７との間には、ミキサ（ＭＩＸ）７８及び「２３６２ＭＨｚ」以上の周波数を通過させるハイパスフィルタ（ＨＰＦ）８０からなる直列回路が設けられる。上記ミキサ７８には、局部発振器（Ｌｏ・ＰＬＬ）７９から１０５４ＭＨｚの局部発振信号が入力される。上記ミキサ７８は、ＣＳコンバータ４８からＳｋｙ・水平入力端子７１ｂに入力されたＳｋｙサービスの水平偏波の信号を１０５４ＭＨｚの局部発振周波数によりアップコンバートし、ハイパスフィルタ８０、ハイパスフィルタ７７、８４を介して出力端子７３へ出力する。
【００６０】
また、上記Ｐｅｒ・垂直入力端子７２ａとハイパスフィルタ８４との間には、１５５０ＭＨｚ以下の周波数を通過させるローパスフィルタ（ＬＰＦ）８１及び２０７２ＭＨｚ以下の周波数を通過させるローパスフィルタ（ＬＰＦ）８２が直列に設けられる。更に、Ｐｅｒ・水平入力端子７２ｂとローパスフィルタ８２との間に１５７２ＭＨｚ以上の周波数を通過させるハイパスフィルタ（ＨＰＦ）８３が設けられる。すなわち、ＣＳコンバータ４３からＰｅｒ・垂直入力端子７２ａに入力されるｐｅｒｆｅｃサービスの垂直偏波の信号は、ローパスフィルタ８１、８２及びハイパスフィルタ８４を介して出力端子７３へ出力される。
【００６１】
また、ＣＳコンバータ４４からＰｅｒ・水平入力端子７２ｂに入力されるｐｅｒｆｅｃサービスの水平偏波の信号は、ハイパスフィルタ８３、ローパスフィルタ８２及びハイパスフィルタ８４を介して出力端子７３へ出力される。
【００６２】
更に、変換混合ユニット６１には、ＣＡＴＶ入力端子８５が設けられ、このＣＡＴＶ入力端子８５に入力されるＣＡＴＶ３６の信号が７７０ＭＨｚ以下の周波数を通過させるローパスフィルタ８６を介して出力端子７３に出力される。
【００６３】
図５は、上記変換分配切換ユニット６２の詳細を示す構成図である。
【００６４】
入力端子９１には、分配器５２から壁面端子４０を介して出力される信号、すなわち、ｐｅｒｆｅｃサービス及びｓｋｙサービスの中間周波信号が入力される。上記入力端子９１に入力された信号のうち、ｐｅｒｆｅｃサービスの中間周波信号は、２０７２ＭＨｚ以下の周波数を通過させるローパスフィルタ９２（ＬＰＦ）９２を介して切換器９３の一方の端子ａに入力される。
【００６５】
また、上記入力端子９１に入力されるｓｋｙサービスの中間周波信号は、２０９２ＭＨｚ以上の周波数を通過させるハイパスフィルタ（ＨＰＦ）９４及びミキサ（ＭＩＸ）９５を介して切換器９３の他方の端子ｂに入力される。上記ミキサ９５には、局部発振器（Ｌｏ・ＰＬＬ）９６から７０７ＭＨｚの局部発振信号が入力される。上記ミキサ９５は、ｓｋｙサービスの中間周波信号を７０７ＭＨｚの局部発振周波数によりダウンコンバートし、切換器９３の他方の端子ｂに入力する。
【００６６】
切換器９３は、入力端子ａ、ｂに入力された信号を切換端子ｃにより切換え、出力端子９７よりＣＳ・ＣＡＴＶチューナ（図示せず）へ出力する。また、上記出力端子９７には、３２〜５３ｋＨｚのバンドパスフィルタ（ＢＰＦ）９８を介して検波器９９が接続される。検波器９９は、上記ＣＳ・ＣＡＴＶチューナから送られてくる衛星切換信号を検出し、切換器９３を切換え制御する。すなわち、ＣＳ・ＣＡＴＶチューナによりｐｅｒｆｅｃサービス及びＣＡＴＶのチャンネルを選択した場合には切換器９３の切換端子ｃを入力端子ａ側に切換え、ｓｋｙサービスのチャンネルを選択した場合には切換器９３の切換端子ｃを入力端子ｂ側に切換える。
【００６７】
次に、上記第２実施形態の全体の動作を説明する。
【００６８】
ＢＳ・ＣＳ１１０度アンテナ３１により受信されたＢＳ放送及びＣＳ１１０度衛星放送と、混合器３５に入力されるＣＡＴＶ３６の信号については、第１実施形態の場合と同様の処理が行なわれ、図６に示す中間周波信号に変換され、分配器３９から壁面端子４０を介してＢＳ・ＣＳ１１０°・ＣＡＴＶチューナへ送られる。
【００６９】
そして、第１のＣＳアンテナ４１は、ｐｅｒｆｅｃサービスの放送（１２．２５〜１２．７５ＧＨｚ）を受信し、偏分波器４２に入力する。偏分波器４２は、ｐｅｒｆｅｃサービスの信号を垂直偏波と水平偏波の信号に分波し、ＣＳコンバータ４３、４４に出力する。
【００７０】
ＣＳコンバータ４３は、上記ｐｅｒｆｅｃサービスの垂直偏波の信号を１１．２ＧＨｚの局部発振信号で、図７（ａ）〜（ｃ）に示すように１０５０〜１５５０ＭＨｚのＰｅｒ・垂直の中間周波信号に変換し、図４に示す変換混合ユニット６１のＰｅｒ・垂直入力端子７２ａに入力する。また、ＣＳコンバータ４４は、上記ｐｅｒｆｅｃサービスの水平偏波の信号を１０．６７８ＭＨｚの局部発振信号で図７（ａ）〜（ｃ）に示すように１５７２〜２０７２ＭＨｚのＰｅｒ・水平の中間周波信号に変換し、上記変換混合ユニット６１のＰｅｒ・水平入力端子７２ｂに入力する。
【００７１】
変換混合ユニット６１は、Ｐｅｒ・垂直入力端子７２ａに入力されたＰｅｒ・垂直の中間周波信号（１０５０〜１５５０ＭＨｚ）をローパスフィルタ８１、８２及びハイパスフィルタ８４を介して出力端子７３へ出力する。また、Ｐｅｒ・水平入力端子７２ｂに入力されたＰｅｒ・水平の中間周波信号（１５７２〜２０７２ＭＨｚ）は、ハイパスフィルタ８３、ローパスフィルタ８２及びハイパスフィルタ８４を介して出力端子７３へ出力する。すなわち、変換混合ユニット６１は、ＣＳコンバータ４３、４４から出力されるｐｅｒｆｅｃサービスの中間周波信号については、周波数変換処理を行なず、ＬＮＢ（ローノイズブロックコンバータ）混合方式を用いて出力端子７３からアンプ５１へ出力する。
【００７２】
一方、第２のＣＳアンテナ４５は、ｓｋｙサービスの放送（１２．５０〜１２．７５ＧＨｚ）を受信し、偏分波器４６に入力する。偏分波器４６は、上記ｓｋｙサービスの信号を垂直偏波と水平偏波の信号に分波し、ＣＳコンバータ４７、４８に出力する。
【００７３】
ＣＳコンバータ４７は、上記ｓｋｙサービスの垂直偏波の信号（ＣＳ（Ｖ））信号を１１．２Ｈｚの局部発振信号で、図７（ａ）に示すように１２９３〜１５３３ＭＨｚの中間周波信号に変換して図４に示す変換混合ユニット６１のＳｋｙ・垂直入力端子７１ａに入力する。
【００７４】
ＣＳコンバータ４８は、上記ｓｋｙサービスの水平偏波の信号（ＣＳ（Ｈ））を１１．２Ｈｚの局部発振信号で、図７（ａ）に示すように１３０８〜１５４８ＭＨｚの中間周波信号に変換して図４に示す変換混合ユニット６１のＳｋｙ・水平入力端子７１ｂに入力する。
【００７５】
変換混合ユニット６１は、Ｓｋｙ・垂直入力端子７１ａに入力された１２９３〜１５３３ＭＨｚの中間周波信号をミキサ７４にて７９９ＭＨｚの局部発振信号により、図７（ｂ）に示すように２０９２〜２３３２ＭＨｚの周波数にアップコンバートし、ローパスフィルタ７６、ハイパスフィルタ７７、８４を介して出力端子７３へ出力する。
【００７６】
また、変換混合ユニット６１は、Ｓｋｙ・水平入力端子７１ｂに入力された１３０８〜１５４８ＭＨｚの中間周波信号をミキサ７８にて１０５４ＭＨｚの局部発振信号により、図７（ｂ）に示すように２３６２〜２６０２ＭＨｚの周波数にアップコンバートし、ハイパスフィルタ８０及びハイパスフィルタ７７を介して出力端子７３へ出力する。
【００７７】
そして、上記変換混合ユニット６１は、上記のようにして得られたｐｅｒｆｅｃサービス及びｓｋｙサービスの信号に対し、ＣＡＴＶ入力端子８５に入力されるＣＡＴＶ３６の信号（１０ＭＨｚ〜７７０ＭＨｚ）を混合し、出力端子７３よりアンプ５１へ出力する。
【００７８】
上記変換混合ユニット６１の出力端子７３から出力されるｐｅｒｆｅｃサービス及びｓｋｙサービス中間周波信号とＣＡＴＶ３６の信号は、アンプ５１で増幅された後、分配器５２及び壁面端子４０を介して変換分配切換ユニット６２へ送られる。
【００７９】
変換分配切換ユニット６２は、図５に示すように入力端子９１に入力された信号のうち、ＣＡＴＶ３６の信号（１０ＭＨｚないし７７０ＭＨｚ）及びｐｅｒｆｅｃサービスの中間周波信号（１０５０〜１５５０ＭＨｚ、１５７２〜２０７２ＭＨｚ）については２０７２ＭＨｚのローパスフィルタ９２を介してそのまま取出し、切換器９３の一方の端子ａに入力する。
【００８０】
また、入力端子９１に入力されるｓｋｙサービスの中間周波信号については、２０９２ＭＨｚのハイパスフィルタ９４を介してミキサ９５に入力し、７０７ＭＨｚの局部発振信号により図７（ｃ）に示すようにダウンコンバートして切換器９３の他方の端子ｂに入力する。すなわち、変換混合ユニット６１によりアップコンバートされたＳｋｙ・垂直（２０９２〜２３３２ＭＨｚ）の信号は、７０７ＭＨｚの局部発振信号により１３８５〜１６２５ＭＨｚの信号にダウンコンバートする。また、変換混合ユニット６１によりアップコンバートされたＳｋｙ・水平（２３６２〜２６０２ＭＨｚ）の信号は、７０７ＭＨｚの局部発振信号により１６５５〜１８９５ＭＨｚの信号にダウンコンバートする。
【００８１】
上記切換器９３は、検波器９９からの切換信号に従って入力端子ａに入力されたｐｅｒｆｅｃサービス及びＣＡＴＶ、あるいは入力端子ｂに入力されたｓｋｙサービスの信号を選択し、出力端子９７よりＣＳ・ＣＡＴＶチューナへ送出する。この場合、検波器９９は、ＣＳ・ＣＡＴＶチューナから出力端子９７に送られてくる衛星切換信号をバンドパスフィルタ９８を介して検出し、その衛星切換信号に従って切換端子ｃを入力端子ａまたはｂに切換える。すなわち、検波器９９は、ＣＳ・ＣＡＴＶチューナによりｐｅｒｆｅｃサービス及びＣＡＴＶのチャンネルが選択された場合には切換端子ｃを入力端子ａに切換え、ＣＳ・ＣＡＴＶチューナによりｓｋｙサービスのチャンネルが選択された場合には切換端子ｃを入力端子ｂに切換える。
【００８２】
上記第２実施形態によれば、ＢＳ・ＣＳ１１０°・ＣＡＴＶチューナにより、ＢＳ放送、ＣＡＴＶの放送、及びＣＳ１１０度衛星放送を受信することができる。また、ＣＳ・ＣＡＴＶチューナによりＣＡＴＶ、ｐｅｒｆｅｃサービス及びｓｋｙサービスのチャンネルを選択すると、そのチャンネル選択に応じて変換分配切換ユニット６２の切換器９３が切換えられ、ＣＡＴＶの放送、ｐｅｒｆｅｃサービス及びｓｋｙサービスの放送を任意に受信することができる。
【００８３】
【発明の効果】
以上詳記したように本発明によれば、ＢＳ放送、ＣＡＴＶ、２衛星のＣＳ放送と共に、ＣＳ１１０度衛星放送を受信できる衛星放送共同受信システムを提供することができる。
【図面の簡単な説明】
【図１】本発明の第１実施形態に係る衛星放送共同受信システムの構成を示すブロック図。
【図２】同実施形態における周波数変換動作を説明するための周波数配列を示す図。
【図３】本発明の第２実施形態に係る衛星放送共同受信システムの構成を示すブロック図。
【図４】同実施形態における変換混合ユニットの詳細を示すブロック図。
【図５】同実施形態における変換分配切換ユニットの詳細を示すブロック図。
【図６】同実施形態におけるＢＳ・ＣＡＴＶ・ＣＳ１１０度衛星放送に対する周波数変換動作を説明するための周波数配列を示す図。
【図７】同実施形態におけるＣＳ放送に対する周波数変換動作を説明するための周波数配列を示す図。
【図８】従来の１同軸ケーブル方式による衛星放送共同受信システムの構成例を示すブロック図。
【図９】ＣＳ放送におけるｐｅｒｆｅｃサービス及びｓｋｙサービスの偏波方式及び周波数帯域を示す図。
【図１０】図８に示した従来の衛星放送共同受信システムにおける周波数変換動作を説明するための周波数配列を示す図。
【図１１】従来の２同軸ケーブル方式による衛星放送共同受信システムの構成例を示すブロック図。
【図１２】図１１に示した従来の衛星放送共同受信システムにおける周波数変換動作を説明するための周波数配列を示す図。
【符号の説明】
３１…ＢＳ・ＣＳ１１０度アンテナ
３２…偏分波器
３３…右旋コンバータ
３４…左旋コンバータ
３５…混合器
３６…ＣＡＴＶ
３７、５１…アンプ
３８ａ、３８ｂ…同軸ケーブル
３９、５２…分配器
４０…壁面端子
４１…第１のＣＳアンテナ
４２…偏分波器
４３、４４…ＣＳコンバータ
４５…第２のＣＳアンテナ
４６…偏分波器
４７、４８…ＣＳコンバータ
５０…Ｓｋｙ・ｐｅｒサービス混合器
６１…変換混合ユニット
６２…変換分配切換ユニット
７１ａ…Ｓｋｙ・垂直入力端子
７１ｂ…Ｓｋｙ・水平入力端子
７２ａ…Ｐｅｒ・垂直入力端子
７２ｂ…Ｐｅｒ・水平入力端子
７３…出力端子
７４、７８…ミキサ（ＭＩＸ）
７６、７７…ローパスフィルタ（ＬＰＦ）
８０、８３、８４…ハイパスフィルタ（ＨＰＦ）
８１、８２、８６…ローパスフィルタ（ＬＰＦ）
８５…ＣＡＴＶ入力端子
９１…入力端子
９２…ローパスフィルタ（ＬＰＦ）
９３…切換器
９４…ハイパスフィルタ
９５…ミキサ（ＭＩＸ）
９７…出力端子
９９…検波器
【図１】
2004200875.tif 000003
【図２】
2004200875.tif 000004
【図３】
2004200875.tif 000005
【図４】
2004200875.tif 000006
【図５】
2004200875.tif 000007
【図６】
2004200875.tif 000008
【図７】
2004200875.tif 000009
【図８】
2004200875.tif 000010
【図９】
2004200875.tif 000011
【図１０】
2004200875.tif 000012
【図１１】
2004200875.tif 000013
【図１２】
2004200875.tif 000014